(57)【要約】      （修正有）【課題】円盤状の突当て部により意図する位置を確実に突くことができる杖の先端構造を提供する。【解決手段】杖の先端構造は、杖の先端の石突き部４、４０、５９と、石突き部４を柄部５に連結する連結部６とを備える。石突き部４は、対象面に突き当てられるときに対象面に接する先端ラバー７を備え、連結部６は、先端ラバー７に付与される外力により石突き部４が柄部５に対して傾くのを許容しかつ中心軸線１７の周りで回転するのを規制しながら石突き部４を柄部５に連結する。【選択図】図２
2015154844.tif 000002
【特許請求の範囲】
【請求項１】
杖の先端部に設けられ、対象面に突き当てられる石突き部と、
前記石突き部を前記杖の柄部に連結する連結部とを備えた杖の先端構造であって、
前記石突き部は、前記対象面に突き当てられるときに該対象面に接する盤状の突当て部材を備え、
前記連結部は、前記突当て部材に付与される外力に応じて前記石突き部が前記柄部に対して傾くのを許容しかつ該外力により該石突き部がその中心軸線の周りで回転するのを規制しながら該石突き部を前記柄部に連結するものであることを特徴とする杖の先端構造。
【請求項２】
前記連結部は、複数のボール溝を有する内輪と、該ボール溝に対応する複数のボール溝を有する外輪と、該内輪の各ボール溝とこれに対応する該外輪のボール溝との間に配置されるボールと、前記外輪と内輪との間で各ボールを保持する保持器とを有する等速ジョイント型のジョイントで構成されることを特徴とする請求項１に記載の杖の先端構造。
【請求項３】
前記連結部は、球面部と、該球面部を受ける球面受け部とを有するボールジョイント型のジョイントと、該球面部と該球面受け部との間に介在し、該球面部及び該球面受け部の各中心軸線が相互に傾斜するのを許容しつつ、該球面部及び該球面受け部がそれぞれの中心軸線の周りで相対的に回転するのを規制する弾性部材とで構成されることを特徴とする請求項１に記載の杖の先端構造。
【請求項４】
前記連結部は、一端側が前記柄部の先端部に固定され、他端側が前記石突き部の後端部に固定されたコイルばねにより構成され、該先端部と該後端部との間には、該石突き部が前記柄部に対して該コイルばねにより弾性的に傾くのを許容する間隔が設けられることを特徴とする請求項１に記載の杖の先端構造。
【請求項５】
前記石突き部は、前記連結部に固定された部分と、前記突当て部材との間に介在して前記突当て部から前記連結部に伝達する衝撃力を緩和する弾性部材とを有することを特徴とする請求項１〜４のいずれか１項に記載の杖の先端構造。
【発明の詳細な説明】
【技術分野】
【０００１】
本発明は、杖の柄部に対する石突き部の角度が可変な杖の先端構造に関する。
【背景技術】
【０００２】
従来、杖の先端構造として、杖の先端部に設けられ、地面等の対象面に突き当てられる石突き部と、石突き部を杖の柄部に連結する連結部とを備えたものが知られている（例えば、特許文献１〜３参照）。連結部による石突き部と柄部との連結は、石突き部が対象面に突き当てられたときに石突き部が柄部に対して若干変位し得るように行われる。
【０００３】
特許文献１の杖の先端構造では、連結部は、柄部の先端に固定された球面部と、これを受けるために石突き部の柄部側に固定された球面受け部とを有するボールジョイントを構成している。したがって、石突き部は、対象面に突き当てられたときに対象面から受ける力に応じ、球面部を中心として、３軸周りに自由に回転し得る。また、石突き部の先端には、滑り止め効果を有する盤状の突当て部材が設けられる。
【０００４】
特許文献２の杖の先端構造においても、連結部は、同様に、３軸周りに自由に回転し得るボールジョイントを構成している。また、石突き部の先端には、滑り止め効果を有する盤状の突当て部材が設けられる。
【０００５】
一方、特許文献３の杖の先端構造においては、連結部は、石突き部を柄部の軸方向に沿って移動し得るように案内する案内部と、石突き部と柄部との間に介在するコイルばねとで構成される。これによれば、石突き部により対象面が突かれたとき、石突き部が案内部により柄部の方向に案内されながら、石突き部からの衝撃がコイルばねにより緩和される。
【先行技術文献】
【特許文献】
【０００６】
【特許文献１】特開昭５７−１４４３１０号公報
【特許文献２】特開平１１−２７６２２２号公報
【特許文献３】特開２００９−１８３４３６号公報
【発明の概要】
【発明が解決しようとする課題】
【０００７】
しかしながら、上記特許文献１及び２の杖の先端構造によれば、石突き部が３軸周りに自由に回転し得るので、石突き部により対象面が突かれるとき、石突き部が不安定な状態となるおそれがある。
【０００８】
すなわち、盤状の突当て部材が対象面に接触するときに、突当て部材を介して石突き部にその中心軸線を中心とする回転方向の力が加わって、石突き部がその中心軸線の周りで回転するおそれがある。このように石突き部が回転すると、対象面の意図する位置を安定して確実に突くことが困難な状況に陥るおそれがある。
【０００９】
一方、上記特許文献３の杖の先端構造によれば、石突き部の突当て部材は、円盤状ではなく、半円球状であるため、石突き部が回転するおそれは少ない。しかし、石突き部の突当て部材として、特許文献１や２の場合のように滑り止め効果を有する円盤状のものを採用した場合、その滑り止め効果を十分に発揮することができない。
【００１０】
何故ならば、石突き部により対象面が突かれるとき、石突き部が、柄部の軸線方向に沿ってのみ移動し得るように案内されるので、突当て部材が杖部とともに対象面に対して傾き、突当て部材の突当て面全体が対象面に確実に密接しない場合が多いからである。
【００１１】
本発明の目的は、かかる従来技術の課題に鑑み、円盤状の突当て部により対象面の意図する位置を確実に突くことができる杖の先端構造を提供することにある。
【課題を解決するための手段】
【００１２】
本発明の杖の先端構造は、杖の先端部に設けられ、対象面に突き当てられる石突き部と、前記石突き部を前記杖の柄部に連結する連結部とを備えた杖の先端構造であって、前記石突き部は、前記対象面に突き当てられるときに該対象面に接する盤状の突当て部材を備え、前記連結部は、前記突当て部材に付与される外力に応じて前記石突き部が前記柄部に対して傾くのを許容しかつ該外力により該石突き部がその中心軸線の周りで回転するのを規制しながら該石突き部を前記柄部に連結するものであることを特徴とする。
【００１３】
本発明の構成において、杖の石突き部が突当て部材を介して対象面に突き当てられるとき、対象面に接する突当て部材の下面の角度が、対象面に一致するように、石突き部が、杖の柄部に対して傾く。これにより、突当て部材の下面全体が対象面に密接するので、突当て部材と対象面との間の摩擦力が適切に作用する。これにより、杖の石突き部が確実に対象面を捉えて杖の機能が適切に発揮される。
【００１４】
このとき、突当て部材の下面が対象面に接するときに、突当て部材の対象面に対する姿勢によっては、石突き部に対してその中心軸線の周りに回転する方向の力が突当て部に作用し、突当て部材がその中心軸線の周りに回転するおそれがある。かかる回転が生じると、石突き部が対象面上に定着するまでに時間がかかるとともに、杖を使用する者の思惑と異なる対象面上の位置に石突き部が定着するおそれがある。
【００１５】
この点、本発明では、連結部によって、突当て部材がその中心軸線の周りで回転することが規制されるので、そのような回転は生じない。したがって、本発明によれば、円盤状の突当て部により対象面の意図する位置を確実に突くことができる杖の先端構造を提供することができる。
【００１６】
本発明において、前記連結部は、複数のボール溝を有する内輪と、該ボール溝に対応する複数のボール溝を有する外輪と、該内輪の各ボール溝とこれに対応する該外輪のボール溝との間に配置されるボールと、前記外輪と内輪との間で各ボールを保持する保持器とを有する等速ジョイント型のジョイントで構成されてもよい。
【００１７】
これによれば、連結部が等速ジョイント型のジョイントで構成されるので、石突き部の中心軸線が柄部に対して傾くのを許容しながら、石突き部がその中心軸線の周りで回転するのを確実に規制することができる。また、石突き部が柄部に対して自在に傾くことができるので、石突き部は、杖が突かれていない状態で、石突き部の自重によりその中心軸線が鉛直方向に沿った姿勢をとることができる。
【００１８】
したがって、突当て部材を、その盤面が石突き部の中心軸線に垂直となるように構成しておくことにより、水平な対象面に対しては、突当て部材の盤面が対象面に平行な状態で杖を突くことができる。したがって、杖が突かれるときには、突当て部材が対象面に接したその瞬間から、突当て部材の盤面全体が対象面に密接するので、意図する位置をより確実に突くことができる。
【００１９】
本発明において、前記連結部は、球面部と、該球面部を受ける球面受け部とを有するボールジョイント型のジョイントと、該球面部と該球面受け部との間に介在し、該球面部及び該球面受け部の各中心軸線が相互に傾斜するのを許容しつつ、該球面部及び該球面受け部がそれぞれの中心軸線の周りで相対的に回転するのを規制する弾性部材とで構成されてもよい。
【００２０】
これによれば、３軸方向への自由な回転を許容するボールジョイントに対して１軸方向への回転を規制する弾性部材を設けることにより、比較的容易に連結部を構成することができる。また、杖を突かない状態では、弾性部材により、石突き部を、杖の柄部に対して一直線をなす位置、すなわち傾きが無い位置に位置するように付勢することができる。
【００２１】
この場合、杖が突かれるとき、突当て部材が対象面に接する瞬間までは、石突き部は杖の柄部と一直線をなす状態にある。そして、通常は、突当て部材の盤面と対象面とは、ある角度をなしているので、突当て部材が対象面に接してから、突当て部材の盤面の角度が対象面に一致するように、石突き部が杖の柄部に対して傾く。
【００２２】
本発明において、前記連結部は、一端側が前記柄部の先端部に固定され、他端側が前記石突き部の後端部に固定されたコイルばねにより構成され、該先端部と該後端部との間には、該石突き部が前記柄部に対して該コイルばねにより弾性的に傾くのを許容する間隔が設けられてもよい。
【００２３】
これによれば、石突き部が柄部に対してコイルばねにより弾性的に傾くことは許容されるが、石突き部がその軸の周りに回転することは、コイルばねによって規制される。
【００２４】
したがって、コイルばねにより連結部材を容易に構成して、対象面の意図する位置を確実に突くことができるという上記本願発明の効果を得ることができる。また、杖を突かない状態では、コイルばねにより、石突き部を、杖の柄部に対して一直線をなす位置、すなわち傾きが無い位置に位置するように付勢することができる。
【００２５】
この場合も、杖が突かれるとき、突当て部材は、対象面に接する瞬間までは、石突き部は杖の柄部と一直線をなす状態にあり、その後、対象面に接してから、突当て部材の盤面の角度が対象面に一致するように、柄部に対して傾く。
【００２６】
本発明において、前記石突き部は、前記連結部に固定された部分と、前記突当て部材との間に介在して前記突当て部から前記連結部に伝達する衝撃力を緩和する弾性部材とを有してもよい。
【００２７】
これによれば、対象面を杖で突く際に、対象面の意図する位置を遅延なく確実に突きながら、突当て部から連結部に伝達する衝撃力を弾性部材で緩和することができる。
【図面の簡単な説明】
【００２８】
【図１】本発明の第１実施形態に係る杖の先端構造の外観を示す斜視図である。
【図２】図１の先端構造の内部構造を、一部を断面として示す斜視図である。
【図３】図１の先端構造の分解図である。
【図４】本発明の第２実施形態に係る杖の先端構造の外観を示す斜視図である。
【図５】図４の先端構造の内部構造を、一部を断面として示す斜視図である。
【図６】図４の先端構造の分解図である。
【図７】本発明の第３実施形態に係る杖の先端構造の外観を示す斜視図である。
【図８】図７の先端構造の内部構造を、一部を断面として示す斜視図である。
【図９】図７の先端構造の分解図である。
【発明を実施するための形態】
【００２９】
以下、図面を用いて本発明の実施形態を説明する。図１に示すように、第１実施形態に係る杖１の先端構造２は、杖１の先端部に設けられ、対象面３に突き当てられる石突き部４と、石突き部４を杖１の柄部５の先端に連結する連結部６とを備える。石突き部４の先端には、対象面３に突き当てられるときに対象面３に接する突当て部材としての盤状の先端ラバー７が設けられる。
【００３０】
なお、以下の説明において、特に言及がない限り、「先」又は「前」は、杖の先端側の方向を意味し、「後」は、杖の握り側の方向を意味する。
【００３１】
図２及び図３に示すように、連結部６においては、柄部５に固定された内輪８と、石突き部４に固定され、内輪８に対向するように配置された外輪９と、内輪８と外輪９との間に介在する複数のボール１０と、これらのボール１０を保持する保持器１１とで等速ジョイント型のジョイントを構成している。
【００３２】
内輪８は、柄部５に固定される内輪保持部１２の先端側に固定された球状部分の外周に、ボール１０と同数のボール溝１３を等間隔で設けることにより構成される。各ボール溝１３は、内輪保持部１２の中心軸線１４にほぼ平行な方向に延在する。
【００３３】
外輪９は、石突き部４に固定されるリング状の部材の内周に、各ボール溝１３に対応するボール溝１５を設けることにより構成される。保持器１１には、内周側から外周側に貫通したボール１０と同数のボール孔１６が設けられる。保持器１１は、内輪８と外輪９との間に配置され、内輪８のボール溝１３と、対応する外輪のボール溝１５との間で、７個のボール１０を保持する。
【００３４】
連結部６は、このようにして、等速ジョイント型のジョイントを構成する。したがって、連結部６は、先端ラバー７に付与される外力に応じて石突き部４が柄部５に対して傾くのを許容しかつ該外力により石突き部４がその中心軸線１７の周りで回転するのを規制しながら、石突き部４を柄部５に連結する。
【００３５】
内輪保持部１２は、柄部５に対して、締付けリング１８及び取付けリング１９を用いて固定される。内輪保持部１２には、後方に開口し、柄部５の先端部及び取付けリング１９の前端部が収容される円筒状空間２０が設けられる。円筒状空間２０の内周には雌ねじ２１が設けられる。取付けリング１９の前部には、雌ねじ２１に螺合する雄ねじ２２が設けられる。
【００３６】
締付けリング１８には、その前端から後端近傍にかけて複数のスリット２３が周方向に等間隔で設けられ、また、後端から前端近傍にかけて複数のスリット２４がスリット２３と交互となるように設けられる。これにより、締付けリング１８は、径方向に伸縮可能となっている。
【００３７】
また、締付けリング１８は、後端にかけて、外径が徐々に小さくなっている。締付けリング１８の内径は、柄部５の先端部が通過できるように、該先端部の外径と同程度の寸法を有する。取付けリング１９の内周は、締付けリング１８の外周と同程度の内径を有し、その内径は、後端にかけてやや小さくなっている。
【００３８】
したがって、柄部５の先端部に対する内輪保持部１２の取付けは、取付けリング１９の内側に締付けリング１８を嵌合し、締付けリング１８の内側に柄部５の先端部を通し、取付けリング１９の雄ねじ２２を内輪保持部１２の雌ねじ２１に螺合させることにより行われる。
【００３９】
このとき、締付けリング１８が内輪保持部１２によって押される。このため、締付けリング１８の後端側の外周が、取付けリング１９の後端側の内周によって、径方向内方に押されて若干収縮する。これにより、締付けリング１８の後端側内周が柄部５の対応部分を押して密着する。このようにして、内輪保持部１２は、取付けリング１９及び締付けリング１８を介して、柄部５の先端部に対して確実に固定される。
【００４０】
石突き部４は、両端が開放した中空円筒状のヘッドケース２５と、ヘッドケース２５の後端側に嵌合される外輪９を固定するためのストップリング２６と、後端部がストップリング２６に接するコイルばね２７と、コイルばね２７の前端部を受けるばね受け部２８とを備える。ばね受け部２８の先端には、上述の先端ラバー７が設けられる。
【００４１】
ヘッドケース２５の後端部には、径方向内方に延出した環状壁２９が設けられる。また、ヘッドケース２５の内壁には、ストップリング２６が嵌合される環状溝３０が設けられる。外輪９は、ヘッドケース２５の内壁に嵌合され、環状壁２９と、環状溝３０に嵌合されたストップリング２６とで前後を挟むようにして、ヘッドケース２５の後端側に固定される。
【００４２】
ばね受け部２８は、ヘッドケース２５の内壁に沿って前後方向にある程度摺動可能となるように、ヘッドケース２５内に嵌合される。ばね受け部２８は、円筒状の外周部３１と、外周部３１の内側を前後に仕切る円盤状の仕切り壁３２とを備える。仕切り壁３２の中央部には、先端ラバー７を固定するための貫通孔３３が設けられる。
【００４３】
コイルばね２７は、仕切り壁３２と外周部３１とでばね受け部２８の後端側に形成された円盤状凹部３４と、ヘッドケース２５の環状溝３０に嵌合されたストップリング２６との間に保持される。
【００４４】
先端ラバー７は、中央部から後方に延びた軸部３５を、それに外嵌されたコイルばね３６を介して、ばね受け部２８の貫通孔３３に捩じ込むことにより、ばね受け部２８に固定される。先端ラバー７の外周部とヘッドケース２５の前端部との間には、図１のように隙間３７が設けられる。
【００４５】
したがって、杖１を突くことにより先端ラバー７に付与される衝撃力は、ばね受け部２８により支持されたコイルばね２７によって緩和されてから、ストップリング２６を介してヘッドケース２５に伝達される。
【００４６】
杖１の使用時には、連結部６の等速ジョイントとしての作用により、柄部５の中心軸線１４と、石突き部４の中心軸線１７との角度が、石突き部４に作用する外力に応じて自由に変化する。このため、杖１が突かれていないとき、柄部５の姿勢に拘わらず、石突き部４は、自重により、その中心軸線１７が鉛直方向に沿った姿勢をとる。
【００４７】
したがって、杖１が突かれるとき、杖１が突かれる対象面３が水平であれば、先端ラバー７の下面は、対象面３とほぼ平行である。このため、杖１が突かれると同時に先端ラバー７の下面の全体が対象面３に密接する。したがって、先端ラバー７による対象面３に対する滑り止め効果が直ちに適切に作用するので、杖１を確実に確固として突くことができる。
【００４８】
一方、杖１が突かれるときに、先端ラバー７の下面と対象面３とが傾いている場合には、まず、先端ラバー７の下面の一部と対象面３とが接触する。このときに対象面３から受ける力により、石突き部４は、先端ラバー７の下面全体が対象面３に密接するように、柄部５に対して傾く。このとき、連結部６の等速ジョイントとしての作用により、石突き部４が、その中心軸線１７の周りで回転することはない。
【００４９】
したがって、石突き部４は、対象面３上を不安定に移動することなく、突かれた位置において、直ちに先端ラバー７の下面全体が対象面３に密接する。したがって、先端ラバー７の下面が対象面３に対して傾いている場合でも、杖１を確実に確固として突くことができる。また、杖１を突いている間、石突き部４がその中心軸線１７の周りで回転することはないので、石突き部４と対象面３との位置関係が不安定となってずれることもない。
【００５０】
本発明の第２実施形態に係る杖３８の先端構造３９は、図４に示すように、杖３８の先端部に設けられ、対象面３に突き当てられる石突き部４０と、石突き部４０を杖３８の柄部４１に連結する連結部４２とを備える。石突き部４０は、杖３８が対象面３に突き当てられるときに対象面３に接する突当て部材としての盤状の先端ラバー４３を備える。
【００５１】
図５及び図６に示すように、連結部４２は、半球状の球面部４４と、球面部４４を受ける球面受け部４５とを有するボールジョイント型のジョイントと、球面部４４と球面受け部４５との間に介在する弾性部材としてのコイルばね４６とで構成される。
【００５２】
球面部４４は、柄部４１に固定される球面保持部４７の先端側に固定される。球面保持部４７には、第１実施形態における内輪保持部１２の場合と同様に、後端側に円筒状空間２０が設けられ、その内周に雌ねじ２１が設けられる。球面保持部４７は、第１実施形態における内輪保持部１２の場合と同様に、取付けリング１９及び締付けリング１８を介して柄部４１の先端部に、確実に固定される。
【００５３】
コイルばね４６は、後端が、球面保持部４７と球面部４４とが隣接している部分に形成された段差部４８に固定され、前端が、球面受け部４５の後端面に固定される。これにより、コイルばね４６は、球面部４４及び球面受け部４５の各中心軸線４９及び５０が相互に傾斜するのを許容しつつ、球面部４４及び球面受け部４５がそれぞれの中心軸線４９及び５０の周りで相対的に回転するのを規制する。なお、中心軸線４９及び５０は、それぞれ柄部４１及び石突き部４０の中心軸線でもある。
【００５４】
球面受け部４５と球面部４４との間には、球面受け部４５の球面部４４を受ける部分に適合した形状の部分球状のゴムシート５１が配置される。このゴムシート５１は、例えば、非粘着で摩擦係数の小さいふっ素樹脂シートと、導電性のある特殊ゴムとを一体成型して構成されたものであり、球面受け部４５と球面部４４との間の衝撃を緩和し、摩擦を低減する効果を有する。
【００５５】
石突き部４０は、前端が閉塞され、後端が開放された円筒状のヘッドケース５２と、ヘッドケース５２の底部に配置される円盤状のばね受け５３と、ばね受け５３により支持されるコイルばね５４と、上述の先端ラバー４３とで構成される。
【００５６】
ヘッドケース５２の底の中央部には、先端ラバー４３を固定するための貫通孔５５が設けられる。先端ラバー４３は、中央部から後方に延びた軸部５６を、貫通孔５５に挿入し、前後方向にある程度摺動し得るように取り付けることによって、ヘッドケース５２に設けられる。軸部５６の後端部は、ばね受け５３の中央部に接触している。
【００５７】
ヘッドケース５２の先端部と先端ラバー４３との間には、図４のように、隙間３７が設けられる。したがって、杖３８を突くことによって先端ラバー４３に付与される衝撃力は、コイルばね５４により緩和されてから、球面受け部４５及びヘッドケース５２に伝達される。
【００５８】
杖３８の使用時には、連結部４２のボールジョイントとしての作用により、柄部４１の中心軸線４９に対する石突き部４０の中心軸線５０の角度が、石突き部４０に作用する外力に応じて自由に変化する。ただし、コイルばね４６により、石突き部４０がその中心軸線５０の周りに回転することは阻止される。また、外力が石突き部４０に作用していない場合には、コイルばね４６により、石突き部４０の中心軸線５０及び柄部４１の中心軸線４９は、ほぼ一直線上に位置する。
【００５９】
杖３８が突かれるとき、通常は、先端ラバー４３の下面と対象面３とが傾いているので、まず、先端ラバー４３の下面の一部と対象面３とが接触する。このときに対象面３から受ける力により、石突き部４０は、先端ラバー４３の下面全体が対象面３に密接するように、柄部４１に対して傾く。
【００６０】
このとき、コイルばね４６により、石突き部４０の中心軸線５０周りの回転が阻止されるので、石突き部４０は、対象面３上を不安定に移動することなく、突かれた位置において、直ちに先端ラバー４３の下面全体が対象面３に密接する。したがって、杖３８を確実に確固として突くことができる。また、杖３８を突いている間、石突き部４０がその中心軸線５０の周りで回転することはないので、石突き部４０と対象面３との位置関係が不安定となってずれることもない。
【００６１】
本発明の第３実施形態に係る杖５７の先端構造５８は、図７に示すように、杖５７の先端部に設けられ、対象面３に突き当てられる石突き部５９と、石突き部５９を杖５７の柄部６０に連結する連結部６１とを備える。石突き部５９は、杖５７が対象面３に突き当てられるときに対象面３に接する盤状の突当て部材としての円盤状の先端ラバー６２を備える。
【００６２】
図８及び図９に示すように、連結部６１は、コイルばね６３と、コイルばね６３の前端及び後端にそれぞれ固定された円盤部材６４及び６５とで構成される。石突き部５９は、前端が閉塞され、後端が開放された円筒状のヘッドケース６６と、ヘッドケース６６の底部に配置される円盤状のばね受け６７と、ばね受け６７により支持されるコイルばね６８と、上述の先端ラバー６２とで構成される。
【００６３】
ヘッドケース６６の底の中央部には、先端ラバー６２を若干前後に移動し得るように案内しつつ取り付けるための貫通孔６９が設けられる。先端ラバー６２は、中央部から後方に延びた軸部７０を、貫通孔６９に挿入して摺動し得るように取り付けることによって、ヘッドケース６６に設けられる。軸部７０の後端部は、ばね受け６７の中央部に接触している。
【００６４】
杖５７の柄部６０の先端部は、先端が開放された中空円筒状をなしており、先端近傍の内周面には、環状の段差部７１が形成されている。柄部６０における段差部７１の先端側の内周面は、後端側の内周面よりも径が大きく、連結部６１の後端部の円盤部材６４の径と同等の大きさを有する。円盤部材６４は、段差部７１まで、柄部６０内に挿入され、柄部６０に固定される。
【００６５】
ヘッドケース６６の内周面にも段差部７１と同様の形態の段差部７２が形成されている。連結部６１の前端部の円盤部材６５は、段差部７２まで、ヘッドケース６６内に挿入され、ヘッドケース６６に固定される。
【００６６】
ばね受け６７は、ヘッドケース６６の底に配置される。コイルばね６８は、両端がそれぞればね受け６７及び円盤部材６５に接するように配置される。先端ラバー６２の軸部７０は、ばね受け６７に接している。先端ラバー６２とヘッドケース６６との間には、図７のように、隙間３７が設けられる。
【００６７】
これにより、杖５７が突かれたときの先端ラバー６２に付与される衝撃が、ある程度コイルばね６８により緩和されて、連結部６１の円盤部材６５及びヘッドケース６６に伝達される。
【００６８】
柄部６０の先端部とヘッドケース６６の後端部との間には、図７のように、所定の間隔ｄが設けられる。この間隔ｄが存在するので、連結部６１のコイルばね６３は、柄部６０の中心軸線７３に対して石突き部５９の中心軸線７４が弾性的に傾くのを許容する。ただし、コイルばね６３は、石突き部５９がその中心軸線７４の周りに回転するのを阻止する。
【００６９】
この場合も、杖５７が突かれるとき、先端ラバー６２は、対象面３に接する瞬間までは、石突き部５９は杖５７の柄部６０と一直線をなす状態にあり、その後、対象面３に接してから、先端ラバー６２の盤面の角度が対象面３に一致するように、柄部６０に対して傾く。
【００７０】
したがって、杖５７の先端構造５８によれば、第２実施形態の先端構造３９の場合と同様に、円盤状の先端ラバー６２により、対象面３を、意図する位置に確実に突くことができる。
【００７１】
なお、本発明は上述の実施形態に限定されない。例えば、図２の形態においては、内輪８を柄部５に固定し、外輪９を石突き部４に固定しているが、この逆に、内輪８を石突き部４に固定し、外輪９を柄部５に固定してもよい。図５の形態においても同様である。また、図６の形態におけるコイルばね４６の代わりに、他の弾性部材を用いてもよい。
【符号の説明】
【００７２】
１、３８、５７…杖、３…対象面、４、４０、５９…石突き部、６、４２、６１…連結部、２、３９、５８…先端構造、７、４３、６２…先端ラバー（突当て部材）、５、４１、６０…柄部、１４、１７、４９、５０、７３、７４…中心軸線、１３、１５…ボール溝、８…内輪、９…外輪、１０…ボール、１１…保持器、４４…球面部、４５…球面受け部、２７、４６、５４、６８…コイルばね（弾性部材）、６３…コイルばね。
【図１】
2015154844.tif 000003
【図２】
2015154844.tif 000004
【図３】
2015154844.tif 000005
【図４】
2015154844.tif 000006
【図５】
2015154844.tif 000007
【図６】
2015154844.tif 000008
【図７】
2015154844.tif 000009
【図８】
2015154844.tif 000010
【図９】
2015154844.tif 000011